(57)【要約】【課題】患者から調剤薬局側に処方箋の内容情報をメール送信可能とすることである。【解決手段】調剤情報処理装置としての携帯電話１０において、患者の処方箋が撮影され、当該撮影された処方箋の画像データの文字情報及び画像イメージが読み取られて処方箋の内容を示す処方箋内容情報が取得され、当該処方箋内容情報を含む処方箋のメールが作成されて、当該処方箋のメールが基地局２０及び通信ネットワークＮを介して調剤薬局端末３０に送信される。【選択図】図１
2005137443.tif 000002
【特許請求の範囲】
【請求項１】
調剤に関する情報を処理する調剤情報処理装置であって、
調剤薬局端末とメール通信可能な通信手段と、
処方箋の画像データを撮影する撮影手段と、
前記撮影手段により撮影された前記処方箋の画像データから、当該処方箋に記載された文字及び画像イメージのうちの少なくとも１つを読み取って当該処方箋の記載内容を示す処方箋内容情報を取得し、当該取得した処方箋内容情報を含む処方箋のメールを作成し、当該作成した処方箋のメールを前記通信手段を介して前記調剤薬局端末に送信する制御手段と、を備えることを特徴とする調剤情報処理装置。
【請求項２】
処方箋の項目及び当該項目の記載位置を含む処方箋形式情報を記憶する記憶手段を備え、
前記制御手段は、前記撮影手段により撮影された前記処方箋の画像データから、前記記憶手段に記憶された前記処方箋形式情報を用いて当該処方箋に記載された文字及び画像イメージのうちの少なくとも１つを読み取って処方箋内容情報を取得することを特徴とする請求項１に記載の調剤情報処理装置。
【請求項３】
前記処方箋に、当該処方箋の記載内容を示す二次元情報コードが記録され、
前記制御手段は、前記処方箋の画像データから前記処方箋に記録された二次元情報コードを読み取って処方箋内容情報を取得することを特徴とする請求項１又は２に記載の調剤情報処理装置。
【請求項４】
情報を記憶する記憶手段を備え、
前記撮影手段は、薬剤情報箋の画像データを撮影し、
前記制御手段は、前記撮影手段により撮影された前記薬剤情報箋の画像データから当該薬剤情報箋に記載された文字及び画像イメージのうちの少なくとも１つを読み取って当該薬剤情報箋の記載内容を示す薬剤情報箋内容情報を取得し、当該取得した薬剤情報箋内容情報を前記記憶手段に記憶することを特徴とする請求項１に記載の調剤情報処理装置。
【請求項５】
情報を報知する報知手段と、
報知対象の服薬時刻の設定入力を受け付ける操作手段と、
現在の時刻情報を取得する計時手段とを備え、
前記制御手段は、前記計時手段により取得された現在時刻が、前記操作手段を介して設定入力された報知対象の服薬時刻となる場合に、前記報知手段に前記服薬時刻及び前記薬剤情報箋内容情報を報知させることを特徴とする請求項４に記載の調剤情報処理装置。
【請求項６】
前記記憶手段は、薬剤情報箋の項目及び当該項目の記載位置を含む薬剤情報箋形式情報を記憶し、
前記制御手段は、前記撮影手段により撮影された前記薬剤情報箋の画像データから、前記記憶手段に記憶された前記薬剤情報箋形式情報を用いて当該薬剤情報箋に記載された文字及び画像イメージのうちの少なくとも１つを読み取って薬剤情報箋内容情報を取得することを特徴とする請求項４又は５に記載の調剤情報処理装置。
【請求項７】
前記薬剤情報箋に、当該薬剤情報箋の記載内容を示す二次元情報コードが記録され、
前記制御手段は、前記薬剤情報箋の画像データから前記薬剤情報箋に記録された二次元情報コードを読み取って薬剤情報箋内容情報を取得することを特徴とする請求項４から６のいずれか一項に記載の調剤情報処理装置。
【請求項８】
前記操作手段は、服薬履歴情報の入力を受け付け、
前記制御手段は、前記操作手段を介して入力された服薬履歴情報を前記記憶手段に記憶させることを特徴とする請求項５から７のいずれか一項に記載の調剤情報処理装置。
【請求項９】
コンピュータに、
処方箋の画像データを撮影する機能と、
前記撮影された前記処方箋の画像データから、当該処方箋に記載された文字及び画像イメージのうちの少なくとも１つを読み取って当該処方箋の記載内容を示す処方箋内容情報を取得し、当該取得した処方箋内容情報を含む処方箋のメールを作成し、当該作成した処方箋のメールを調剤薬局端末に送信する機能と、
を実現させるための調剤情報処理プログラム。
【発明の詳細な説明】
【技術分野】
【０００１】
本発明は、調剤情報処理装置及び調剤情報処理プログラムに関する。
【背景技術】
【０００２】
従来、病院などの医療機関において処方箋が患者に渡され、患者は、その処方箋を持って調剤薬局に行き、調剤薬局の局員に処方箋を手渡して調剤してもらい、その調剤してもらった薬剤を受け取っていた。また、調剤された薬剤の薬剤名、服薬量及び服薬の仕方などが記録された薬剤情報箋が患者に手渡されていた。
【０００３】
また、患者が調剤前に予めＦＡＸにより処方箋を調剤薬局に送信し、調剤薬局の局員が、患者の来訪前に、受信したＦＡＸの処方箋に基づいて調剤を行い、患者の待ち時間を軽減する構成が考えられている。
【０００４】
また、処方した薬剤の服薬の仕方などの薬剤情報を管理するホスト機と、患者が携帯する携帯端末と、ホスト機に通信接続されて携帯端末と無線通信可能な服薬情報端末とを備えるシステムにおいて、携帯端末に入力された患者のリクエストに応じて、ホスト機から服薬情報端末を介して薬剤情報を携帯端末に送信する構成が考えられている（例えば、特許文献１参照）。
【特許文献１】特開２００１−１２６００２号公報
【発明の開示】
【発明が解決しようとする課題】
【０００５】
しかし、上記ＦＡＸを調剤薬局に送信する構成では、ＦＡＸを送信する設備が必要であるが、患者用のＦＡＸ機を備える病院などは多くなく、ＦＡＸ機を備えるコンビニエンスストアなどを患者が探す必要があり、煩わしいという問題があった。
【０００６】
また、患者が薬剤情報箋を手渡しで受け取る構成では、患者が薬剤情報箋を紛失することなどにより、正確な薬剤情報を得られない場合があった。
【０００７】
また、上記ホスト機、服薬情報端末及び携帯端末を備えるシステムにおいては、携帯端末に、薬剤情報を受信することはできるが、患者が処方箋の内容情報を調剤薬局に送信することができなかった。
【０００８】
本発明の課題は、患者から調剤薬局側に処方箋の内容情報をメール送信可能とすることである。
【課題を解決するための手段】
【０００９】
以上の課題を解決するために、本発明は、  調剤に関する情報を処理する調剤情報処理装置であって、
調剤薬局端末とメール通信可能な通信手段と、
処方箋の画像データを撮影する撮影手段と、
前記撮影手段により撮影された前記処方箋の画像データから、当該処方箋に記載された文字及び画像イメージのうちの少なくとも１つを読み取って当該処方箋の記載内容を示す処方箋内容情報を取得し、当該取得した処方箋内容情報を含む処方箋のメールを作成し、当該作成した処方箋のメールを前記通信手段を介して前記調剤薬局端末に送信する制御手段と、を備えることを特徴とする。
【００１０】
本発明によれば、取得された処方箋の画像データから処方箋内容情報を取得し、当該処方箋内容情報を含む処方箋のメールを作成し、当該処方箋のメールを調剤薬局端末に送信するので、患者が調剤薬局に来訪するまでに処方箋のメールを調剤薬局端末に送信でき、調剤薬局側で受信した処方箋のメールに基づいて患者の調剤を予め行い、患者の調剤待ち時間を軽減できるとともに、調剤薬局側で受信した処方箋のメールに基づいて正確に患者の調剤を行うことができる。
【００１１】
また、例えば、処方箋の項目及び当該項目の記載位置を含む処方箋形式情報を記憶する記憶手段を備え、
前記制御手段は、前記撮影手段により撮影された前記処方箋の画像データから、前記記憶手段に記憶された前記処方箋形式情報を用いて当該処方箋に記載された文字及び画像イメージのうちの少なくとも１つを読み取って処方箋内容情報を取得することとして構成してもよい。
【００１２】
また、例えば、前記処方箋に、当該処方箋の記載内容を示す二次元情報コードが記録され、
前記制御手段は、前記処方箋の画像データから前記処方箋に記録された二次元情報コードを読み取って処方箋内容情報を取得することとして構成してもよい。
【００１３】
また、例えば、情報を記憶する記憶手段を備え、
前記撮影手段は、薬剤情報箋の画像データを撮影し、
前記制御手段は、前記撮影手段により撮影された前記薬剤情報箋の画像データから当該薬剤情報箋に記載された文字及び画像イメージのうちの少なくとも１つを読み取って当該薬剤情報箋の記載内容を示す薬剤情報箋内容情報を取得し、当該取得した薬剤情報箋内容情報を前記記憶手段に記憶することとして構成してもよい。
【００１４】
また、例えば、情報を報知する報知手段と、
報知対象の服薬時刻の設定入力を受け付ける操作手段と、
現在の時刻情報を取得する計時手段とを備え、
前記制御手段は、前記計時手段により取得された現在時刻が、前記操作手段を介して設定入力された報知対象の服薬時刻となる場合に、前記報知手段に前記服薬時刻及び前記薬剤情報箋内容情報を報知させることとして構成してもよい。
【００１５】
また、例えば、前記記憶手段は、薬剤情報箋の項目及び当該項目の記載位置を含む薬剤情報箋形式情報を記憶し、
前記制御手段は、前記撮影手段により撮影された前記薬剤情報箋の画像データから、前記記憶手段に記憶された前記薬剤情報箋形式情報を用いて当該薬剤情報箋に記載された文字及び画像イメージのうちの少なくとも１つを読み取って薬剤情報箋内容情報を取得することとして構成してもよい。
【００１６】
また、例えば、前記薬剤情報箋に、当該薬剤情報箋の記載内容を示す二次元情報コードが記録され、
前記制御手段は、前記薬剤情報箋の画像データから前記薬剤情報箋に記録された二次元情報コードを読み取って薬剤情報箋内容情報を取得することとして構成してもよい。
【００１７】
また、例えば、前記操作手段は、服薬履歴情報の入力を受け付け、
前記制御手段は、前記操作手段を介して入力された服薬履歴情報を前記記憶手段に記憶させることとして構成してもよい。
【発明の効果】
【００１８】
本発明によれば、取得された処方箋の画像データから処方箋内容情報を取得し、当該処方箋内容情報を含む処方箋のメールを作成し、当該処方箋のメールを調剤薬局端末に送信するので、患者が調剤薬局に来訪するまでに処方箋のメールを調剤薬局端末に送信でき、調剤薬局側で受信した処方箋のメールに基づいて患者の調剤を予め行い、患者の調剤待ち時間を軽減できるとともに、調剤薬局側で受信した処方箋のメールに基づいて正確に患者の調剤を行うことができる。
【発明を実施するための最良の形態】
【００１９】
以下、添付図面を参照して本発明に係る好適な実施の形態を詳細に説明する。
【００２０】
まず、図１〜図３を参照して本実施の形態の装置構成を説明する。図１に、調剤システム１００の構成を示す。図２に、携帯電話１０の内部構成を示す。図３に、携帯電話１０の外観を示し、（ａ）に携帯電話１０の上部背面を示し、（ｂ）に携帯電話１０の上部内面を示す。
【００２１】
図１に示すように、本実施の形態の調剤システム１００は、携帯電話１０と、基地局２０と、調剤薬局端末３０とを備えて構成され、基地局２０及び調剤薬局端末３０が通信ネットワークＮを介して通信接続される。
【００２２】
携帯電話１０は、操作者としての患者などに所属する。また、携帯電話１０は、ある１人の患者の携帯電話１台を代表して図示し、この台数に限るものではない。本実施の形態においては、薬剤データ処理装置として携帯電話１０を用いる構成とするが、これに限るものではない。例えば、ＰＨＳ（Personal Handyphone System）、ＰＤＡ（Personal Digital Assistants）などの他の通信端末装置などでもよい。
【００２３】
基地局２０は、携帯電話１０との通信データを含む無線通信信号の送受信により通信データの送受信を行う。また、基地局２０は、通信ネットワークＮに接続され、通信ネットワークＮを介して、通信ネットワークＮ上に設けられた調剤薬局端末３０を含む機器と通信を行う。基地局２０も、代表して１台を図示し、この台数に限るものではない。
【００２４】
調剤薬局端末３０は、調剤薬局に所属する端末装置である。この調剤薬局の局員、調剤師などが調剤薬局端末３０の操作者となる。調剤薬局端末３０も、ある１つの調剤薬局の調剤薬局端末１台を代表して図示し、この台数に限るものではない。
【００２５】
通信ネットワークＮは、ＬＡＮ（Local Area Network）、ＷＡＮ（Wide Area Network）を含めてもよく、電話回線網、ＩＳＤＮ回線網、広帯域通信回線網、専用線、移動体通信網、通信衛星回線、ＣＡＴＶ回線、光通信回線、無線通信回線と、それらを接続するインターネットサービスプロバイダなどを含む構成でもよい。
【００２６】
ここで、図２及び図３を参照して、携帯電話１０の構成を説明する。図２に示すように、携帯電話１０は、ＣＰＵ１１と、操作手段としての操作部１２と、ＲＡＭ１３と、報知手段としての表示部１４と、記憶手段としての記憶部１５と、通信手段としての通信部１６と、撮影手段としての撮影部１７と、報知手段としての音入出力部１８と、計時手段としての計時部１９と、を備えて構成され、各部は、バス１Ａに接続される。
【００２７】
ＣＰＵ１１は、携帯電話１０内の各部を中央制御する。ＣＰＵ１１は、記憶部１５の図示しないＲＯＭに格納されているシステムプログラム及び各種アプリケーションプログラムの中から指定されたプログラムをＲＡＭ１３に展開し、ＲＡＭ１３に展開されたプログラムとの協働で、各種処理を実行する。この処理の実行主体を制御手段としての制御部１１１とする。
【００２８】
操作部１２は、ダイヤルキー（文字入力キー）、メニューキー、カーソルキー及び各種機能キーなどの入力キーを備えて構成され、操作者（ユーザ）により押下されたキーに対応する押下信号をＣＰＵ１１に出力する。操作部１２は、図３（ａ）、（ｂ）に示すように、例えば、モード切替スイッチ１２１と、カメラオンオフスイッチ１２２とを有する。モード切替スイッチ１２１は、薬剤関連情報以外の被写体を撮影する通常撮影モードと、処方箋又は薬剤情報箋を撮影する薬剤関連情報撮影、撮影された画像データを撮影する再生モードと、各種設定を行う設定モードとが切り替えられる。カメラオンオフスイッチ１２２は、撮影部１７の撮影を許可するか否かのスイッチである。
【００２９】
ＲＡＭ１３は、前記指定されたプログラム、入力指示、入力データ及び処理結果などを格納するワークエリアを有し、情報を一時的に格納する。
【００３０】
表示部１４は、ＣＰＵ１１から入力される各種情報を表示する。また、表示部１４は、液晶表示方式又はＥＬディスプレイ（ElectroLuminescent Display）方式などの表示部である。
【００３１】
記憶部１５は、図示しないが各種情報が読み出し可能に記憶されるＲＯＭと、各種情報を電気的に情報を書き換え可能に記憶するフラッシュメモリなどを有する。通信部１６は、アンテナ及び無線部を有する。無線部は、搬送波をＣＰＵ１１又は音入出力部１８から入力される通信データで変調処理して、アンテナを介して無線通信信号として基地局２０に発信する。また、無線部は、基地局２０から受信した無線通信信号を復調処理して通信データを取得し、ＣＰＵ１１又は音入出力部１８に出力する。
【００３２】
撮影部１７は、レンズを含む光学系と、ＣＣＤなどの撮像素子とを備えて、ＣＰＵ１１の撮影指示により、レンズを介して入射された被写体の像を撮像素子により撮像してデジタルの画像データを取得する。画像データは記憶部１５のフラッシュメモリに記憶される。図３（ａ）に示すように、撮影部１７は、例えば、携帯電話１０の上部背面に設けられたレンズ１７１を含む。
【００３３】
音入出力部１８は、マイク、スピーカ及び音声変換部を備える。通話時に、マイクから音声入力された操作者の音声信号を音声変換部により通信データに変換して通信部１６に出力する。通信部１６は、基地局２０を介して通話先の携帯電話などに音声の通信データを送信する。また、通信部１６は、基地局２０を介して通話先の携帯電話などから音声の通信データを受信する。通信部１６から入力された通話先の音声の通信データを音声変換部により音声信号に変換して音声出力する。計時部１９は、現在時刻を取得して、現在時刻信号をＣＰＵ１１に出力する。
【００３４】
次いで、図４〜図６を参照して、記憶部１５のフラッシュメモリに記憶する情報を説明する。図４に、処方箋フォーマットファイル１５１の構成を示す。図５に、処方箋メール形式データ１５２の構成を示す。図６に、服薬履歴情報１５３の構成を示す。
【００３５】
図４に、記憶部１５のフラッシュメモリに記憶される、各種処方箋の各項目のフォーマットのデータである処方箋フォーマットデータを有する処方箋フォーマットファイル１５１を示す。処方箋フォーマットデータは、処方箋の画像データから、処方箋の各項目を認識するために用いるデータである。処方箋の項目とは、例えば、患者の保険者番号、患者氏名、患者生年月日、患者区分、処方箋を出した医療機関の所在地、医療機関の名称、医療機関の電話番号、保険医氏名、処方箋の交付年月日、具体的な処方欄の薬剤名及び数量、医療機関の印鑑のイメージなどである。
【００３６】
処方箋フォーマットファイル１５１は、処方箋フォーマット名１５１１と、各処方箋フォーマット上の各項目の座標位置を示す各項目位置１５１２とを有する。処方箋フォーマットの種類数は、ｎ（但し、ｎは任意の自然数）である。
【００３７】
また、図示しないが、薬剤情報箋についても、同様に薬剤情報箋フォーマットファイルが記憶部１５のフラッシュメモリに記憶される。薬剤情報箋フォーマットファイルは、薬剤情報箋フォーマット名と、各項目位置とを有する。薬剤情報箋の各項目は、例えば、患者名、調剤された薬剤名、服薬量、服薬時刻、服薬の仕方及び薬剤の画像データなどである。
【００３８】
また、図５に、記憶部１５のフラッシュメモリに記憶される、処方箋メールを作成するための処方箋メール形式データ１５２を示す。処方箋メール形式データ１５２は、メール作成のためのデフォルトデータであり、メールの件名１５２１と、処方箋の各項目の文字内容としての内容１５２２と、添付するイメージデータ用の添付１５２３とを有する。
【００３９】
例えば、件名１５２１に、処方箋データの文字が設定され、内容１５２２に、保険者番号、患者氏名、患者生年月日、患者区分、医療機関の所在地、医療機関の名称、医療機関の電話番号、保険医氏名、交付年月日、薬剤名及び数量、の文字が設定され、添付１５２３に印鑑イメージデータ用の空きが設定される。
【００４０】
また、図６に、記憶部１５のフラッシュメモリに記憶される、患者の服薬履歴を示す服薬履歴情報１５３を示す。服薬履歴情報１５３は、服薬日時１５３１と、服薬した薬剤名１５３２と、服薬した薬剤の数量１５３３と、患者の服薬後の状況などを示す服薬状況１５３４とを有する。
【００４１】
次に、図７〜図１５を参照して、調剤システム１００の動作を説明する。図７に、薬剤関連処理を示す。図８に、薬剤関連処理中のＱＲコード処理を示す。図９に、薬剤関連処理中の薬剤情報箋処理を示す。図１０に、処方箋メール５０の構成を示す。図１１に、服薬報知情報設定処理を示す。図１２に、服薬報知情報設定画面１４１の構成を示す。図１３に、服薬報知処理を示す。図１４に、服薬履歴情報記憶処理を示す。図１５に、服薬履歴設定画面１４２の構成を示す。
【００４２】
図７を参照して、携帯電話１０から患者の処方箋メールを調剤薬局端末３０に送信、又は薬剤情報箋から薬剤情報箋情報を取得する薬剤関連処理を説明する。予め、携帯電話１０を所有する患者は、病院などの医療機関で診察を受け、医者から処方箋を受け取る。または、調剤薬局において、患者は、調剤を受けた後に薬局員から薬剤情報箋を受け取る。そして、ユーザにより、カメラオンオフスイッチ１２２がオンされ、モード切替スイッチ１２１が薬剤関連情報撮影モードに設定入力される。
【００４３】
そして、携帯電話１０において、操作部１２を介してユーザ（患者）から薬剤関連処理実行指示が入力されたことをトリガとして、ＣＰＵ１１は、記憶部１５のＲＯＭに記憶された薬剤関連処理プログラムを適宜読み出してＲＡＭ１３に展開し、ＣＰＵ１１とＲＡＭ１３内の薬剤関連処理プログラムとの協働により薬剤関連処理が実行される。この処理実行の主体を制御部１１１とし、以下の携帯電話１０における処理でも同様とする。
【００４４】
先ず、操作部１２を介してユーザからの処方箋撮影指示入力が受け付けられ、その処方箋撮影指示に基づいて撮影部１７により処方箋又は薬剤情報箋の記録紙が撮影され、処方箋又は薬剤情報箋の撮影画像データが取得される（ステップＳ１１）。そして、ステップＳ１１において撮影された画像データが解析される（ステップＳ１２）。具体的には、画像データがＱＲコードを有しているか否かと、画像データが処方箋であるか否かが判別される。処方箋であるか否かは、例えば、文字認識を画像データの一部分だけ行って、処方箋を認識する文字が検出されるか否かが判別される。
【００４５】
ＱＲ（Quick Response）コードは、マトリクス方式の二次元バーコードであり、高速読み取りが可能であるとともに、大容量の情報を記録可能である。処方箋に記載された文字情報を示すＱＲコードが作成されて処方箋上に記録される。本実施の形態では、処方箋にのみＱＲコードが含まれることが可能として説明するが、薬剤情報箋にＱＲコードを含ませることが可能な構成としてもよい。また、ＱＲコード以外の情報コードなどを用いる構成としてもよい。
【００４６】
そして、ステップＳ１１において撮影された画像データにＱＲコードが含まれるか否かが判別される（ステップＳ１３）。画像データにＱＲコードが含まれる場合（ステップＳ１３；ＹＥＳ）、ＱＲコード処理が実行される（ステップＳ１４）。ＱＲコード処理は後述する。
【００４７】
画像データにＱＲコードが含まれない場合（ステップＳ１３；ＮＯ）、ステップＳ１１において撮影された画像データが処方箋のデータであるか否かが判別される（ステップＳ１５）。画像データが処方箋のデータでない場合（ステップＳ１５；ＮＯ）、画像データが薬剤情報箋のデータであり、薬剤情報箋処理が実行される（ステップＳ１６）。薬剤情報箋処理は後述する。
【００４８】
画像データが処方箋のデータである場合（ステップＳ１５；ＹＥＳ）、記憶部１５のフラッシュメモリから処方箋フォーマットファイル１５１が読み出され、処方箋フォーマットファイル１５１に基づいて画像データがＯＣＲ（Optical Character Reader）方式でソフトウェア的に文字認識されて文字データ化される（ステップＳ１７）。具体的には、処方箋フォーマットの種類に応じた各項目の位置において文字が読み取られる
【００４９】
そして、ステップＳ１７において文字データ化された各項目のデータが解析される（ステップＳ１８）。具体的には、各項目の具体的な文字内容などが取得される。そして、記憶部１５のフラッシュメモリから処方箋メール形式データ１５２が読み出され、処方箋メール形式データ１５２とステップＳ１８において解析された各項目の文字データとを用いて、メール文が作成される（ステップＳ１２）。具体的には、図５に示す処方箋メール形式データ１５２の内容１５２２に各項目の文字データが書き込まれることにより、図１０に示す処方箋メール５０の内容５３が設定される。
【００５０】
そして、ステップＳ１１において撮影された画像データから、医療機関の印鑑のイメージ画像が印鑑イメージファイルとして取得され、処方箋メール５０に添付される（ステップＳ２０）。具体的には、図５に示す処方箋メール形式データ１５２の添付１５２３に印鑑イメージファイルが添付されることにより、図１０に示す処方箋メール５０の添付５４が設定される。
【００５１】
そして、操作部１２を介してユーザからの調剤薬局のアドレス入力が受け付けられ、当該アドレスが書き込まれた処方箋メール５０が作成され、処方箋メール５０が通信部１６、基地局２０及び通信ネットワークＮを介して、アドレスに対応する調剤薬局に所属する調剤薬局端末３０に送信され（ステップＳ２１）、薬剤関連処理が終了される。具体的には、図５に示す処方箋メール形式データ１５２にアドレスが書き込まれることにより、図１０に示す処方箋メール５０の宛先５１が作成される。件名５２は、デフォルトの件名１５２１が設定されるが、ユーザの操作入力により変更される構成としてもよい。
【００５２】
次いで、図８を参照して、薬剤関連処理のステップＳ１４のＱＲコード処理を説明する。先ず、ステップＳ１１において撮影された処方箋の画像データに含まれるＱＲコードが解析される（ステップＳ１４１）。そして、ステップＳ１４１において解析されたＱＲコードの情報が文字データ化される（ステップＳ１４２）。ステップＳ１４３〜Ｓ１４６は、ステップＳ１８〜Ｓ２１と同様の処理となる。
【００５３】
次いで、図９を参照して、薬剤関連処理のステップＳ１６の薬剤情報箋処理を説明する。先ず、ステップＳ１１において撮影された薬剤情報箋の画像データがＯＣＲ方式でソフトウェア的に文字認識されて文字データ化される（ステップＳ１６１）。具体的には、、記憶部１５のフラッシュメモリから薬剤情報箋フォーマットファイルが読み出され、薬剤情報箋フォーマットファイルに基づいて文字認識される。
【００５４】
そして、ステップＳ１１において撮影された薬剤情報箋の画像データに含まれる薬剤の画像などがイメージ認識されてイメージデータとして取得される（ステップＳ１６２）。そして、ステップＳ１６１において取得された文字データと、ステップＳ１６２において取得されたイメージデータとから薬剤情報箋情報が作成されて記憶部１５のフラッシュメモリに記憶され（ステップＳ１６３）、薬剤情報箋処理が終了される。
【００５５】
ステップＳ２１又はＳ１４６の終了後、調剤薬局端末３０において、携帯電話１０から送信された処方箋メールが受信され、図示しない表示部に表示される。調剤師は、表示部に表示された処方箋メール５０を参照して、患者の来訪前に予め調剤を行うことができる。また調剤師は、調剤後、患者の来訪前に調剤情報箋を作成することもできる。
【００５６】
次いで、図１１及び図１２を参照して、患者に調剤された薬剤の服薬時刻などを報知するための服薬報知情報を設定する服薬報知情報設定処理を説明する。先ず、薬剤関連処理の実行により、記憶部１５のフラッシュメモリに薬剤情報箋情報が記憶されているものとする。そして、携帯電話１０において、操作部１２を介してユーザから服薬報知情報設定指示が入力されたことをトリガとして、ＣＰＵ１１は、記憶部１５のＲＯＭに記憶された服薬報知情報設定処理プログラムを適宜読み出してＲＡＭ１３に展開し、ＣＰＵ１１とＲＡＭ１３内の服薬報知情報設定処理プログラムとの協働により服薬報知情報設定処理が実行される。
【００５７】
図１１に示すように、先ず、記憶部１５のフラッシュメモリから薬剤情報箋情報が読み出され、薬剤情報箋情報の薬剤名が表示部１４に表示され、表示された薬剤名に基づいて操作部１２を介してユーザからの薬剤名の選択入力を受け付け、選択入力された薬剤名に基づいて、図１２に示すような服薬報知情報設定画面１４１が表示部１４に表示され、操作部１２を介してユーザからの報知を行う服薬時刻の入力を受け付ける（ステップＳ３１）。例えば、服薬報知情報設定画面１４１において、選択された薬剤名１４１１に対応する服薬時刻１４１２が表示され、操作部１２を介してユーザにより報知する服薬時刻が選択入力される。
【００５８】
そして、操作部１２を介してユーザからの報知時のメロディの選択入力を受け付ける（ステップＳ３２）。例えば、服薬報知情報設定画面１４１において、各種メロディ１４１３が表示され、操作部１２を介してユーザにより報知するメロディが選択入力される。
【００５９】
そして、ステップＳ３１において入力された薬剤名及び報知する服薬時刻と、ステップＳ３２において入力されたメロディとを含む服薬報知情報が作成されて記憶部１５のフラッシュメモリに記憶され（ステップＳ３３）、服薬報知情報設定処理が終了される。
【００６０】
次いで、図１３を参照して、設定された薬剤の服薬時刻を患者に報知する服薬報知処理を説明する。服薬報知処理は、所定時間ごとに周期的に実行される処理である。携帯電話１０において、操作部１２を介してユーザから服薬情報報知指示が入力されたこと又は前回の実行時から所定時間経過したことをトリガとして、ＣＰＵ１１は、記憶部１５のＲＯＭに記憶された服薬報知プログラムを適宜読み出してＲＡＭ１３に展開し、ＣＰＵ１１とＲＡＭ１３内の服薬報知プログラムとの協働により服薬報知処理が実行される。
【００６１】
先ず、記憶部１５のフラッシュメモリに記憶された服薬報知情報の設定時刻が読み出され、計時部１９から現在時刻が取得され、当該現在時刻が前記設定時刻であるか否かが判別される（ステップＳ４１）。現在時刻が設定時刻でない場合（ステップＳ４１；ＮＯ）、服薬報知処理が終了される。
【００６２】
現在時刻が設定時刻である場合（ステップＳ４１；ＹＥＳ）、記憶部１５のフラッシュメモリに記憶された服薬報知情報の現在の設定時刻に対応するメロディが読み出され、当該メロディが音入出力部１８のスピーカから音出力されて報知される（ステップＳ４２）。そして、記憶部１５のフラッシュメモリに記憶された薬剤情報箋情報が読み出され、当該薬剤情報箋情報中の報知された薬剤に対応する薬剤名及び数量などが表示部１４に表示され（ステップＳ４３）、服薬報知処理が終了される。
【００６３】
次いで、図１４及び図１５を参照して、患者の服薬履歴を示す服薬履歴情報を記憶する服薬履歴情報記憶処理を説明する。携帯電話１０において、操作部１２を介してユーザから服薬履歴情報作成指示が入力されたことをトリガとして、ＣＰＵ１１は、記憶部１５のＲＯＭに記憶された服薬履歴情報記憶プログラムを適宜読み出してＲＡＭ１３に展開し、ＣＰＵ１１とＲＡＭ１３内の服薬履歴情報記憶プログラムとの協働により服薬履歴情報記憶処理が実行される。
【００６４】
なお、服薬履歴情報記憶処理の実行タイミングは、服薬直後でなくてもそれ以降の任意のタイミングで行うことができる。しかし、ユーザが服薬状況などを忘れないためにも、服薬直後のタイミングで実行されることが好ましい。
【００６５】
先ず、記憶部１５のフラッシュメモリから薬剤情報箋情報が読み出され、薬剤情報箋情報の薬剤名が表示部１４に表示され、操作部１２を介してユーザからの表示された薬剤の選択入力を受け付ける（ステップＳ５１）。そして、選択入力された薬剤名に基づいて、図１５に示すような服薬履歴設定画面１４２が表示部１４に表示される（ステップＳ５２）。例えば、図１５に示す設定画面１４２において、選択された薬剤名１４２１と、服薬状況入力部１４２２と、服薬した薬剤の数量入力部１４２３と、服薬日時入力部１４２４とが表示される。
【００６６】
そして、操作部１２を介してユーザからの服薬状況と薬剤の数量と服薬日時との入力を受け付ける（ステップＳ５３）。そして、ステップＳ５２において取得された薬剤名と、ステップＳ５３において入力された服薬日時、服薬薬剤の数量及び服薬状況を含む服薬履歴情報１５３が作成されて記憶部１５のフラッシュメモリに記憶され（ステップＳ５４）、服薬履歴情報記憶処理が終了される。入力された現在日時、薬剤名、数量及び服薬状況は、順に、服薬履歴情報１５３の服薬日時１５３１、薬剤名１５３２、数量１５２３及び服薬状況１５２４に格納される。
【００６７】
服薬履歴情報記憶処理の実行後、携帯電話１０において、ユーザからの操作部１２を介した服薬履歴情報表示指示を受け付け、記憶部１５のフラッシュメモリに記憶された服薬履歴情報１５３を読み出して表示部１４に表示し、医者などに見せることができる。また、患者が年寄りであるなどの情報操作入力が困難である場合には、家族、付添い人などが患者の代わりに操作入力することとしてもよい。
【００６８】
以上、本実施の形態によれば、携帯電話１０において、撮影部１７により撮影された処方箋の画像データを文字認識及び印鑑イメージ認識して処方箋の記載内容を示す情報を取得し、当該処方箋内容を示す情報を含む処方箋のメールを作成し、当該処方箋のメールを通信部１６により基地局２０及び通信ネットワークＮを介して調剤薬局端末３０に送信する。このため、患者が調剤薬局に来訪するまでに処方箋のメールを調剤薬局端末３０に送信でき、調剤薬局側で受信した処方箋のメールに基づいて患者の調剤を予め行い、患者の調剤待ち時間を軽減できるとともに、調剤薬局側で受信した処方箋のメールに基づいて正確に患者の調剤を行うことができる。特に、患者は、ＦＡＸがなくても処方箋のメールを調剤薬局側に送信することができる。
【００６９】
また、記憶部１５に処方箋フォーマットファイル１５１を記憶し、処方箋フォーマットファイル１５１を用いて処方箋の画像データの項目が認識されるので、処方箋の項目及び当該項目の位置を正確に合せて、処方箋の認識情報を正確に認識することができる。
【００７０】
また、処方箋にＱＲコードが記録されている場合に、ＱＲコードを読み込んで処方箋の認識情報を取得するので、処方箋の認識情報を迅速且つより正確に認識することができる。
【００７１】
また、携帯電話１０における薬剤関連処理の薬剤情報箋処理により、撮影部１７により撮影された薬剤情報箋の画像データを文字認識及び画像イメージ認識して薬剤情報箋の記載内容を示す情報を取得し、当該薬剤情報箋の記載内容を示す情報を用いて薬剤情報箋情報が作成されて記憶部１５に記憶されるので、患者が薬剤情報箋の用紙を紛失しても薬剤情報箋の情報を紛失することを防ぐとともに、薬剤情報箋の情報を正確に記憶することができる。
【００７２】
また、記憶部１５に薬剤情報箋フォーマットファイルを記憶し、薬剤情報箋フォーマットファイルを用いて薬剤情報箋の画像データの項目が認識されるので、薬剤情報箋の項目及び当該項目の位置を正確に合せて、薬剤情報箋の認識情報を正確に認識することができる。
【００７３】
また、携帯電話１０における服薬報知情報設定処理により、記憶部１５に記憶された服薬情報箋情報に基づいて服薬報知情報を設定し、服薬報知処理により、記憶部１５に記憶された服薬報知情報に基づいて、計時部１９から出力された現在時刻が報知対象の服薬時刻になる場合に、音入出力部１８のスピーカからメロディを出力して、表示部１４に服薬情報箋情報を表示して報知するので、患者が服薬時刻と、薬剤名及び薬剤の数量を含む服薬情報箋情報とを正確に知ることができる。
【００７４】
また、携帯電話１０における服薬履歴情報記憶処理により、操作部１２を介して服薬状況の入力を受け付け、当該服薬状況に基づく服薬履歴情報を作成して記憶部１５に記憶するので、患者が服薬履歴を忘れても服薬履歴情報を紛失することなく、患者が入力した服薬履歴情報を医者などに見せて治療効果を高めることができる。
【００７５】
なお、本実施の形態では、処方箋を文字認識及び印鑑画像のイメージ認識を行う構成であるが、これに限るものではない。例えば、処方箋の全画像データをメールに添付する構成でもよく、ＨＴＭＬ方式により処方箋の画像データを文字部分に貼り付ける構成としてもよい。
【００７６】
また、処方箋及び薬剤情報箋は、用紙に各項目が記載されるものとして説明したが、これに限るものではない。例えば、表示情報を電気的に書き換え可能で、電源オフ後一定期間表示可能な電子ペーパに処方箋及び薬剤情報箋の情報を表示させる構成としてもよい。
【００７７】
また、本実施の形態において、処方箋及び薬剤情報箋の情報取得は、処方箋及び薬剤情報箋の撮影部１７による撮影により取得された画像データを文字認識及び画像イメージ認識により行うする構成、又は処方箋に記載されたＱＲコードの認識により行う構成として説明したが、これに限るものではない。例えば、診察する医療機関側で処方箋の情報を格納する機器を備え、当該機器から、赤外線通信、ＵＳＢ（Universal Serial Bus）などのケーブル通信などにより携帯電話１０に情報を取り込む構成としてもよい。また、処方箋の情報が記録された記録媒体として、携帯電話１０にセットすることで読み取り可能なメモリカードなどの記憶媒体を患者に手渡し、当該記録媒体を直接携帯電話１０にセットして、処方箋の情報を取り込む構成としてもよい。
【００７８】
同様に、調剤薬局端末３０から赤外線通信、ＵＳＢなどのケーブル通信などにより携帯電話１０に薬剤情報箋の情報を取り込む構成としてもよい。また、記録媒体を直接携帯電話１０にセットして、薬剤情報箋の情報を取り込む構成としてもよい。
【００７９】
また、本実施の形態において服薬時刻の報知を、表示部１４における服薬情報箋情報の表示と、音入出力部１８からのメロディの出力とにより行う構成であるが、これに限るものではない。例えば、服薬情報箋情報の表示とともに、メロディの音出力と、ＬＥＤなどの光出力部における光出力と、バイブレータによる振動出力とのうちの少なくとも１つにより服薬時刻の報知を行う構成としてもよい。
【００８０】
また、本実施の形態における携帯電話１０の各構成要素の細部構成、及び細部動作に関しては、本発明の趣旨を逸脱することのない範囲で適宜変更可能であることは勿論である。
【図面の簡単な説明】
【００８１】
【図１】調剤システム１００の構成図である。
【図２】携帯電話１０の内部構成を示すブロック図である。
【図３】携帯電話１０の外観を示す図であり、（ａ）は携帯電話１０の上部背面を示す図であり、（ｂ）は携帯電話１０の上部内面を示す図である。
【図４】処方箋フォーマットファイル１５１の構成を示す図である。
【図５】処方箋メール形式データ１５２の構成を示す図である。
【図６】服薬履歴情報１５３の構成を示す図である。
【図７】薬剤関連処理を示すフローチャートである。
【図８】薬剤関連処理中のＱＲコード処理を示すフローチャートである。
【図９】薬剤関連処理中の薬剤情報箋処理を示すフローチャートである。
【図１０】処方箋メール５０の構成を示す図である。
【図１１】服薬報知情報設定処理を示すフローチャートである。
【図１２】服薬報知情報設定画面１４１の構成を示す図である。
【図１３】服薬報知処理を示すフローチャートである。
【図１４】服薬履歴情報記憶処理を示すフローチャートである。
【図１５】服薬履歴設定画面１４２の構成を示す図である。
【符号の説明】
【００８２】
１００  調剤システム
１０  携帯電話
１１  ＣＰＵ
１１１  制御部
１２  操作部
１２１  モード切替スイッチ
１２２  カメラオンオフスイッチ
１３  ＲＡＭ
１４  表示部
１５  記憶部
１６  通信部
１７  撮影部
１７１  レンズ
１８  音入出力部
１９  計時部
１Ａ  バス
２０  基地局
３０  調剤薬局端末
Ｎ  通信ネットワーク
【図１】
2005137443.tif 000003
【図２】
2005137443.tif 000004
【図３】
2005137443.tif 000005
【図４】
2005137443.tif 000006
【図５】
2005137443.tif 000007
【図６】
2005137443.tif 000008
【図７】
2005137443.tif 000009
【図８】
2005137443.tif 000010
【図９】
2005137443.tif 000011
【図１０】
2005137443.tif 000012
【図１１】
2005137443.tif 000013
【図１２】
2005137443.tif 000014
【図１３】
2005137443.tif 000015
【図１４】
2005137443.tif 000016
【図１５】
2005137443.tif 000017